(57)【要約】【課題】簡単に効果的なキャッチライト撮影を行うことができる撮影装置及び照明装置を提供する。【解決手段】ＬＥＤ５０を光源とするストロボ１８は、ＬＥＤ５０の前段に所定形状の開口部５２Ａ〜５２Ｃを有するマスク５２がスライド自在に設けられている。マスク５２をスライドさせ、所望の開口部５２Ａ〜５２ＣをＬＥＤ５０の前段に位置させることにより、光源の形状を切り替えることができる。これにより、被写体の瞳に写し込むキャッチライトの形状を切り替えることができる。【選択図】      図３
2007183512.tif 000002
【特許請求の範囲】
【請求項１】
光源から被写体に向けて出射する光の形状を切り替え可能な照明手段を備えたことを特徴とする撮影装置。
【請求項２】
前記照明手段は、ストロボと兼用されることを特徴とする請求項１に記載の撮影装置。
【請求項３】
前記照明手段は、光源の前段に所定形状の開口部を有するマスク部材を装着して、光源から被写体に向けて出射する光の形状を切り替えることを特徴とする請求項１又は２に記載の撮影装置。
【請求項４】
前記照明手段は、光源が二次元配列された多数の点光源で構成され、点灯させる点光源を切り替えることにより、光源から被写体に向けて出射する光の形状を切り替えることを特徴とする請求項１又は２に記載の撮影装置。
【請求項５】
前記点光源が撮影レンズの周囲に配列されることを特徴とする請求項４に記載の撮影装置。
【請求項６】
前記照明手段が、所定距離離れた被写体に対して撮影範囲とほぼ一致する範囲を照射する光を出射可能であることを特徴とする請求項１、２、３、４又は５に記載の撮影装置。
【請求項７】
前記照明手段は、光源の色を切り替え可能であることを特徴とする請求項１、２、３、４、５又は６に記載の撮影装置。
【請求項８】
撮影により得られた画像から被写体の瞳に映り込んだ前記照明手段からの光の部分を抽出する抽出手段と、
撮影により得られた画像のうち前記抽出手段で抽出された部分の形状を所定の形状に加工する画像処理手段と、
を備えたことを特徴とする請求項１、２、３、４、５、６又は７に記載の撮影装置。
【請求項９】
光源から被写体に向けて照明光を照射する照明装置であって、
前記光源から出射する光の形状を切り替える切替手段を備えたことを特徴とする照明装置。
【請求項１０】
前記切替手段は、前記光源の前段に所定形状の開口部を有するマスク部材を装着して、前記光源から被写体に向けて出射する光の形状を切り替えることを特徴とする請求項９に記載の照明装置。
【請求項１１】
前記光源が二次元配列された多数の点光源で構成され、前記切替手段は、点灯させる点光源を切り替えることにより、前記光源から被写体に向けて出射する光の形状を切り替えることを特徴とする請求項９に記載の照明装置。
【請求項１２】
前記光源の色を切り替える光源色切替手段を備えたことを特徴とする請求項９、１０又は１１に記載の照明装置。
【発明の詳細な説明】
【技術分野】
【０００１】
本発明は撮影装置及び照明装置に係り、特に被写体の瞳にキャッチライトを映し込める撮影装置及び照明装置に関する。
【背景技術】
【０００２】
ポートレート撮影を行う際の撮影技法の一つとしてキャッチライト撮影が知られている。キャッチライト撮影は、被写体の瞳に輝きとなる光（キャッチライト）を映し込む撮影技法であり、瞳の輝きで人物を生き生きとした感じに撮影できるという効果が得られる。
【０００３】
このキャッチライトを瞳に映し込む方法としては、ストロボを用いる方法が一般的であるが、遊技場などに設置されるアミューズメントシールプリント機では、より撮影効果を高めるために、星型等のライトを用いて瞳にキャッチライトを映し込む方法が提案されている（たとえば、特許文献１〜３参照）。
【特許文献１】特開２００４−２８７３６９号公報
【特許文献２】特開２００２−６４７２６号公報
【特許文献３】特開２００２−５６４５７号公報
【発明の開示】
【発明が解決しようとする課題】
【０００４】
しかしながら、特許文献１〜３に記載された方法は、アミューズメントシールプリント機用のため、コンパクトカメラやカメラ付き携帯電話機などの携帯式の撮影機器で実施しようとした場合、規模が大きくなりすぎるという欠点があった。
【０００５】
本発明は、このような事情に鑑みてなされたもので、簡単に効果的なキャッチライト撮影を行うことができる撮影装置及び照明装置を提供することを目的とする。
【課題を解決するための手段】
【０００６】
請求項１に係る発明は、前記目的を達成するために、光源から被写体に向けて出射する光の形状を切り替え可能な照明手段を備えたことを特徴とする撮影装置を提供する。
【０００７】
請求項１に係る発明によれば、光源から被写体に向けて出射する光の形状を切り替えることができる。これにより、被写体の瞳に映し込むキャッチライトにバリエーションを持たせることができる。
【０００８】
請求項２に係る発明は、前記目的を達成するために、前記照明手段は、ストロボと兼用されることを特徴とする請求項１に記載の撮影装置を提供する。
【０００９】
請求項２に係る発明によれば、ストロボと兼用される。これにより、撮影装置の構成をコンパクト化することができる。
【００１０】
請求項３に係る発明は、前記目的を達成するために、前記照明手段は、光源の前段に所定形状の開口部を有するマスク部材を装着して、光源から被写体に向けて出射する光の形状を切り替えることを特徴とする請求項１又は２に記載の撮影装置を提供する。
【００１１】
請求項３に係る発明によれば、光源の前段に所定形状の開口部を有するマスク部材を装着して、光源から被写体に向けて出射する光の形状を切り替える。
【００１２】
請求項４に係る発明は、前記目的を達成するために、前記照明手段は、光源が二次元配列された多数の点光源で構成され、点灯させる点光源を切り替えることにより、光源から被写体に向けて出射する光の形状を切り替えることを特徴とする請求項１又は２に記載の撮影装置を提供する。
【００１３】
請求項４に係る発明によれば、光源が二次元配列された多数の点光源で構成される。そして、点灯させる点光源を切り替えることにより、光源から被写体に向けて出射する光の形状を切り替える。
【００１４】
請求項５に係る発明は、前記目的を達成するために、前記点光源が撮影レンズの周囲に配列されることを特徴とする請求項４に記載の撮影装置を提供する。
【００１５】
請求項５に係る発明によれば、点光源が撮影レンズの周囲に配列される。
【００１６】
請求項６に係る発明は、前記目的を達成するために、前記照明手段が、所定距離離れた被写体に対して撮影範囲とほぼ一致する範囲を照射する光を出射可能であることを特徴とする請求項１、２、３、４又は５に記載の撮影装置を提供する。
【００１７】
請求項６に係る発明によれば、所定距離離れた被写体に対して撮影範囲とほぼ一致する範囲が照射される。これにより、たとえば撮影者自身を撮影する際（いわゆる自分撮り）、撮影可能な範囲を簡単に認識することができる。
【００１８】
請求項７に係る発明は、前記目的を達成するために、前記照明手段は、光源の色を切り替え可能であることを特徴とする請求項１、２、３、４、５又は６に記載の撮影装置を提供する。
【００１９】
請求項７に係る発明によれば、光源の入りを切り換えることができる。これにより、キャッチライトのバリエーションを更に増やすことができ、撮影効果をより高めることができる。
【００２０】
請求項８に係る発明は、前記目的を達成するために、撮影により得られた画像から被写体の瞳に映り込んだ前記照明手段からの光の部分を抽出する抽出手段と、撮影により得られた画像のうち前記抽出手段で抽出された部分の形状を所定の形状に加工する画像処理手段と、を備えたことを特徴とする請求項１、２、３、４、５、６又は７に記載の撮影装置を提供する。
【００２１】
請求項８に係る発明によれば、撮影により得られた画像から被写体の瞳に映り込んだ照明手段からの光の部分が抽出手段によって抽出される。そして、その抽出された部分の形状が画像処理手段によって所定の形状に加工される。これにより、瞳に映し込むキャッチライトのバリエーションを増やすことができ、撮影効果を更に向上させることができる。
【００２２】
請求項９に係る発明は、前記目的を達成するために、光源から被写体に向けて照明光を照射する照明装置であって、前記光源から出射する光の形状を切り替える切替手段を備えたことを特徴とする照明装置を提供する。
【００２３】
請求項９に係る発明によれば、光源から出射する光の形状を切替手段によって切り替えることができる。
【００２４】
請求項１０に係る発明は、前記目的を達成するために、前記切替手段は、前記光源の前段に所定形状の開口部を有するマスク部材を装着して、前記光源から被写体に向けて出射する光の形状を切り替えることを特徴とする請求項９に記載の照明装置を提供する。
【００２５】
請求項１０に係る発明によれば、切替手段は、光源の前段に所定形状の開口部を有するマスク部材を装着して、光源から被写体に向けて出射する光の形状を切り替える。
【００２６】
請求項１１に係る発明は、前記目的を達成するために、前記光源が二次元配列された多数の点光源で構成され、前記切替手段は、点灯させる点光源を切り替えることにより、前記光源から被写体に向けて出射する光の形状を切り替えることを特徴とする請求項９に記載の照明装置を提供する。
【００２７】
請求項１１に係る発明によれば、光源が二次元配列された多数の点光源で構成され、切替手段は、点灯させる点光源を切り替えることにより、光源から被写体に向けて出射する光の形状を切り替える。
【００２８】
請求項１２に係る発明は、前記目的を達成するために、前記光源の色を切り替える光源色切替手段を備えたことを特徴とする請求項９、１０又は１１に記載の照明装置を提供する。
【００２９】
請求項１２に係る発明によれば、光源色切替手段によって光源の色を切り替えることができる。
【発明の効果】
【００３０】
本発明に係る撮影装置及び照明装置によれば、簡単に効果的なキャッチライト撮影を行うことができる。
【発明を実施するための最良の形態】
【００３１】
以下、添付図面を参照して本発明に係る撮影装置及び照明装置を実施するための最良の形態について説明する。
【００３２】
図１、図２は、それぞれ本発明が適用されたデジタルカメラの第１の実施の形態の正面斜視図と背面斜視図である。
【００３３】
図１に示すように、本実施の形態のデジタルカメラ１０のカメラボディ１２は、薄型の四角い箱状に形成されており、その正面には、撮影レンズ１４、ファインダ窓１６、ストロボ１８等が設けられている。また、上面には、シャッタボタン２０、モードスイッチ２２、電源ボタン２４等が設けられている。
【００３４】
また、図２に示すように、カメラボディ１２の背面には、ファインダ接眼部２６、モニタ２８、ズームボタン３０、十字ボタン３２、ＭＥＮＵ／ＯＫボタン３４、再生ボタン３６、ファンクションボタン３８、ＢＡＣＫボタン４０等が設けられている。
【００３５】
また、図示されていないが、カメラボディ１２の底面には、開閉自在なバッテリカバーが設けられており、そのバッテリカバーの内側にバッテリを収納するためのバッテリ収納室と、メモリカードを装填するためのメモリカードスロットとが設けられている。
【００３６】
シャッタボタン２０は、いわゆる「半押し」と「全押し」とからなる二段ストローク式のスイッチで構成されている。デジタルカメラ１０は、このシャッタボタン２０を半押しすると、撮影準備、すなわち、ＡＥ（Automatic Exposure：自動露出）、ＡＦ（Auto Focus：自動合焦）、ＡＷＢ（Automatic White Balance：自動ホワイトバランス）を実行し、全押しすると、撮影（画像記録）を行う。
【００３７】
撮影レンズ１４は、沈胴式のズームレンズで構成されており、デジタルカメラ１０の電源をＯＮすると、カメラボディ１２から繰り出され、ＯＦＦすると、カメラボディ１２に収容される。
【００３８】
ストロボ１８は、ＬＥＤを光源として用いており、その光源となるＬＥＤの前段にマスクをかぶせることにより、光源から出射する光の形を変え、特殊なキャッチライト撮影ができるように構成している。この点については、後に詳述する。
【００３９】
モードスイッチ２２は、シャッタボタン２０の回りを所定のステップで回動自在に設けられている。デジタルカメラ１０は、このモードスイッチ２２の設定位置により、「オート撮影モード」、「シーン撮影（人物／風景／スポーツ／夜景）モード」、「Ａ（絞り優先）／Ｓ（シャッタ速度優先）／Ｍ（マニュアル）／Ｐ（プログラム）撮影モード」に設定される。
【００４０】
電源ボタン２４は、デジタルカメラ１０の電源スイッチとして機能し、一定時間押下することにより、デジタルカメラ１０の電源がオン又はオフする。
【００４１】
モニタ２８は、カラーＬＣＤで構成されている。このモニタ２８は、再生モード時に撮影済み画像を表示するための画像表示部として利用されるとともに、各種設定時にＧＵＩとして利用される。また、撮影時には必要に応じてスルー画像が表示され、電子ファインダとして利用される。
【００４２】
ズームボタン３０は、望遠側へのズームを指示するズームテレボタンと、広角側へのズームを指示するズームワイドボタンとで構成され、このズームボタン３０が操作されることにより、撮影レンズ１４がズーミングされる。
【００４３】
十字ボタン３２は、上下左右４方向に押圧操作可能に設けられており、各方向にはデジタルカメラ１０の設定状況に応じた機能が割り当てられる。
【００４４】
ＭＥＮＵ／ＯＫボタン３４は、各モードの通常画面からメニュー画面への遷移を指示するボタン（ＭＥＮＵボタン）としての機能と、選択内容の確定、処理の実行等を指示するボタン（ＯＫボタン）としての機能を有しており、デジタルカメラ１０の設定状況に応じた機能が割り当てられる。
【００４５】
再生ボタン３６は、撮影モードから再生モードへの移行を支持するボタンとして機能し、この再生ボタンを押下することにより、メモリカードに記録されている撮影済み画像がモニタ２８に再生表示される。
【００４６】
ファンクションボタン３８は、各モードの通常画面から各種設定画面への遷移を指示するボタンとして機能する。たとえば、撮影モード時にこのファンクションボタン３８を押下すると、画質、感度等の設定画面に遷移し、再生モード時にこのファンクションボタン３８を押下すると、プリント予約等の設定画面に遷移する。
【００４７】
ＢＡＣＫボタン４０は、入力操作のキャンセル等を指示するボタンとして機能する。
【００４８】
図３は、第１の実施の形態のデジタルカメラのストロボ設置部の構成を示す正面部分断面図である。
【００４９】
上述したように、ストロボ１８は、ＬＥＤ５０を光源として構成されている。なお、本例では、３つのＬＥＤを並列配置して光源を構成しているが、使用するＬＥＤの数は、これに限定されるものではない。また、使用するＬＥＤは高輝度の白色ＬＥＤを使用するものとするが、Ｒ、Ｇ、Ｂ三色のＬＥＤを用いて所定の色温度の光を生成するようにしてもよい。
【００５０】
この光源としてのＬＥＤ５０の前段には、板状のマスク５２がガイドレール５４に沿ってスライド自在に支持されている。
【００５１】
このマスク５２は、横方向に細長い矩形の板状に形成されており、一定の間隔をもって所定形状の開口部５２Ａ、５２Ｂ、５２Ｃが形成されている。具体的には、矩形の開口部５２Ａと、星型の開口部５２Ｂと、四つの円形の開口部５２Ｃとが形成されている。
【００５２】
ストロボ１８は、このマスク５２をスライド移動させて、光源としてのＬＥＤ５０の前段に所望の開口部５２Ａ〜５２Ｃを位置させることにより、被写体に向けて出射する光の形状を切り替えることができる。すなわち、矩形の開口部５２Ａを位置させることにより矩形の光、星型の開口部５２Ｂを位置させることにより星型の光、四つの円形の開口部５２Ｃを位置させることにより、四つの円形の光を出射させることができる。
【００５３】
なお、矩形の開口部５２Ａは、光源としてのＬＥＤ５０の全面全てを開放するように形成され、この矩形の開口部５２Ａを位置させることにより、通常のストロボとして機能させることができる。
【００５４】
マスク５２の駆動は、マスク駆動モータ５６によって行われる。マスク駆動モータ５６の出力軸には、駆動ギア５７が連結されており、駆動ギア５７は、マスク５２の下縁部に一体形成されたラック５８に噛み合わされている。この結果、マスク駆動モータ５６を駆動すると、駆動ギア５７が回転し、マスク５２がガイドレール５４に沿ってスライド移動する。
【００５５】
図４は、デジタルカメラ１０の電気的構成を示すブロック図である。同図に示すように、デジタルカメラ１０は、ＣＰＵ１１０、操作部（シャッタボタン２０、モードスイッチ２２、電源ボタン２４、ズームボタン３０、十字ボタン３２、ＭＥＮＵ／ＯＫボタン３４、再生ボタン３６、ファンクションボタン３８、ＢＡＣＫボタン４０等）１１２、ＲＯＭ１１４、ＲＡＭ１１６、ＥＥＰＲＯＭ１１８、ＶＲＡＭ１２０、時計／カレンダ部１２２、撮影光学系１２４、撮影光学系駆動部１２６、撮像素子１２８、タイミングジェネレータ１３０、アナログ信号処理部１３２、Ａ／Ｄコンバータ１３４、画像入力コントローラ１３６、画像信号処理部１３８、圧縮伸張処理部１４０、画像抽出部１４２、メディアコントローラ１４４、メモリカードＭ、電源制御部１４６、バッテリＢ、ストロボ１８、エンコーダ１４８、ＯＳＤ部１５０、ＡＥ／ＡＷＢ検出部１５２、ＡＦ検出部１５４、ストロボ制御部１５６、マスク駆動モータ５６、モータドライバ１５８等で構成されている。
【００５６】
ＣＰＵ１１０は、デジタルカメラ１０の全体の動作を統括制御する制御手段として機能するとともに、各種の演算処理を行う演算処理手段として機能し、操作部１１２からの入力に基づき所定の制御プログラムに従って各回路を制御する。
【００５７】
ＲＯＭ１１４には、ＣＰＵ１１０が実行する制御プログラム及び制御に必要な各種データ等が格納されており、ＥＥＰＲＯＭ１１８には、ユーザ設定情報等の各種設定情報等が格納されている。
【００５８】
ＲＡＭ１１６は、ＣＰＵ１１０の演算作業用領域として利用されるとともに、画像データの一時記憶領域として利用され、ＶＲＡＭ１２０は、表示用の画像データ専用の一時記憶領域として利用される。
【００５９】
時計／カレンダ部１２２は、現在日時を計時し、ＣＰＵ１１０からの指令に応じて計時した現在時刻情報をＣＰＵ１１０に出力する。
【００６０】
撮影光学系１２４は、撮影レンズ１４、絞り、シャッタを含み、撮影レンズ１４は、フォーカスレンズとズームレンズとを含んで構成されている。
【００６１】
撮影光学系駆動部１２６は、ＣＰＵ１１０からの指令に応じて撮影レンズ１４を構成するフォーカスレンズ及びズームレンズを駆動し、フォーカシング及びズーミング行う。また、ＣＰＵ１１０からの指令に応じて、絞りを駆動し、撮像素子１２８に入射する光量を調節するとともに、シャッタを駆動し、撮像素子１２８の露光／遮光を制御する。
【００６２】
撮像素子１２８は、カラーＣＣＤで構成されており、その受光面には多数のフォトダイオードが配列されている。撮影光学系１２６を介して撮像素子１２８の受光面に入射した光は、各フォトダイオードによって入射光量に応じた量の信号電荷に変換されて、各フォトダイオードに蓄積される。
【００６３】
タイミングジェネレータ（ＴＧ）１３０は、ＣＰＵ１１０からの指令に従い、主として撮像素子１２８を駆動するためのタイミング信号を生成する。撮像素子１２８は、このタイミングジェネレータ１３０から加えられるタイミング信号に従って各フォトダイオードに蓄積された信号電荷を読み出し、電圧信号（画像信号）として出力する。
【００６４】
アナログ信号処理部１３２は、撮像素子１２８から順次出力される画像信号を相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）するとともに、増幅して出力する。
【００６５】
Ａ／Ｄコンバータ１３４は、アナログ信号処理部１３２から出力されたＲ、Ｇ、Ｂのアナログの画像信号をデジタルの画像信号に変換する。
【００６６】
画像入力コントローラ１３６は、所定容量のラインバッファを内蔵し、Ａ／Ｄコンバータ１３４から出力された１画像分の画像信号を蓄積して、ＲＡＭ１１６に格納する。
【００６７】
画像信号処理部１３８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従って入力された画像信号に所要の信号処理を施して、輝度データ（Ｙデータ）と色差データ（Ｃｒ，Ｃｂデータ）とからなる画像データ（ＹＵＶデータ）を生成する。また、ＣＰＵ１１０からの指令に従って入力された画像データに所定の信号処理を施して、画像を加工する。
【００６８】
圧縮伸張処理部１４０は、ＣＰＵ１１０からの指令に従って入力された画像データに圧縮処理を施し、所定フォーマット（たとえば、ＪＰＥＧ）の圧縮画像データを生成する。また、入力された圧縮画像データに伸張処理を施し、非圧縮の画像データを生成する。
【００６９】
画像抽出部１４２は、ＣＰＵ１１０からの指令に従って入力された画像から特定の画像領域を抽出する。
【００７０】
メディアコントローラ１４４は、ＣＰＵ１１０からの指令に従ってメディアスロットに装填されたメモリカードＭに対してデータの読み出し及び書き込みを制御する。
【００７１】
電源制御部１４６は、ＣＰＵ１１０からの指令に従ってバッテリＢからデジタルカメラ各部への電力供給を制御する。
【００７２】
エンコーダ１４８は、ＣＰＵ１１０からの指令に従って入力された画像信号をモニタ２８に表示するための映像信号（たとえば、ＮＴＳＣ信号やＰＡＬ信号、ＳＣＡＭ信号）に変換し、モニタ２８に出力する。
【００７３】
ＯＳＤ（On Screen Display）部１５０は、ＣＰＵ１１０からの指令に従ってモニタ２８に表示するための文字や図形を示す信号をエンコーダ１４８に出力する。
【００７４】
ＡＥ／ＡＷＢ検出回路１５２は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。ＣＰＵ１１０は、このＡＥ／ＡＷＢ検出回路１５２から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割したエリアごとにＲ、Ｇ、Ｂの画像信号の色別の平均積算値を算出する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００７５】
ＡＦ検出回路１５４は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１５４は、入力された画像信号から画像の鮮鋭度を示す焦点評価値を算出する。ＣＰＵ１１０は、このＡＦ検出回路１５４で算出される焦点評価値が極大となるように、撮影光学系駆動部１２６の駆動を制御し、フォーカスレンズの移動を制御する。
【００７６】
ストロボ制御部１５６は、ＣＰＵ１１０からの指令に従ってストロボ１８の発光を制御する。
【００７７】
モータドライバ１５８は、ＣＰＵ１１０からの指令に従ってマスク駆動モータ５６を駆動し、マスク５２の移動を制御する。
【００７８】
なお、マスク５２は、「原点位置」、「星位置」、「丸位置」の間をスライド移動するものとし、「原点位置」に移動することにより、矩形状の開口部５２Ａが光源としてのＬＥＤ５０の前段に位置する（図５（ａ）参照）。また、「星位置」に移動することにより、星型の開口部５２Ｂが光源としてのＬＥＤ５０の前段に位置し（図５（ｂ）参照）、「丸位置」に移動することにより、四つの円形状の開口部５２Ｃが光源としてのＬＥＤ５０の前段に位置する（図５（ｃ）参照）。
【００７９】
次に、本実施の形態のデジタルカメラ１０による基本的な撮影、再生の処理動作について説明する。
【００８０】
デジタルカメラ１０は、電源ボタン２４を押下すると、撮影モードの下で起動する。
【００８１】
まず、撮影光学系駆動部１２６が駆動され、撮影レンズ１４が所定位置まで繰り出される。
【００８２】
そして、撮影レンズ１４が所定位置まで繰り出されると、撮像素子１２８によってスルー画像用の撮影が行われ、モニタ２８にスルー画像が表示される。
【００８３】
すなわち、撮像素子１２８で連続的に画像が撮像され、その撮像素子１２８から連続的に得られた画像信号から画像信号処理部１３８で画像データが連続的に生成される。生成された画像データは、ＶＲＡＭ１２０を介して順次エンコーダ１４８に加えられ、エンコーダ１４８からモニタ２８に出力される。これにより、撮像素子１２８で捉えた画像がモニタ２８にスルー表示される。
【００８４】
撮影者は、このモニタ２８に表示されたスルー画像を見て構図を決定し、シャッタボタン２０を半押しする。シャッタボタン２０が半押しされると、ＣＰＵ１１０にＳ１ＯＮ信号が入力され、このＳ１ＯＮ信号に応動して、ＣＰＵ１１０は撮影準備処理、すなわち、ＡＥ、ＡＦ、ＡＷＢの処理を実行する。
【００８５】
まず、撮像素子１２８から出力された画像信号をアナログ信号処理部１３２、Ａ／Ｄコンバータ１３４、画像入力コントローラ１３６を介して取り込み、ＡＥ／ＡＷＢ検出部１５２及びＡＦ検出部１５４に加える。
【００８６】
ＡＥ／ＡＷＢ検出部１５２は、入力された画像信号からＡＥ制御及びＡＷＢ制御に必要な物理量を算出し、ＣＰＵ１１０に出力する。ＣＰＵ１１０は、このＡＥ／ＡＷＢ検出部１５２からの出力に基づき、絞り値とシャッタースピードを決定するとともに、ホワイトバランス補正値を決定する。
【００８７】
また、ＡＦ検出部１５４は、入力された画像信号からＡＦ制御に必要な物理量を算出し、ＣＰＵ１１０に出力する。ＣＰＵ１１０は、このＡＦ検出部１５４からの出力に基づき撮影光学系駆動部１２６の駆動を制御し、フォーカスレンズの移動を制御して、撮影レンズ１４のピントを主要被写体に合わせる。
【００８８】
撮影者は、モニタ２８に表示されるスルー画像を確認し、撮影レンズ１４のピント状態等を確認して撮影を実行する。すなわち、シャッタボタン２０を全押しする。
【００８９】
シャッタボタン２０が全押しされると、ＣＰＵ１１０にＳ２ＯＮ信号が入力され、このＳ２ＯＮ信号に応動して、ＣＰＵ１１０は撮影処理（記録処理）を実行する。
【００９０】
まず、上記のＡＥ処理で求めた絞り値、シャッタースピードで撮像素子１２８を露光し、記録用の画像信号の取り込みを行う。
【００９１】
撮像素子１２８から出力された一コマ分の画像信号は、アナログ信号処理部１３２、Ａ／Ｄコンバータ１３４を介して画像入力コントローラ１３６に取り込まれ、ＲＡＭ１１６に格納される。ＲＡＭ１１６に格納された画像信号は、ＣＰＵ１１０の制御の下、画像信号処理部１３８に加えられ、輝度データと色差データとからなる画像データ（ＹＵＶデータ）が生成される。生成された画像データは、一旦、ＲＡＭ１１６に格納されたのち、圧縮伸張処理部１４０に加えられる。圧縮伸張処理部１４０は、入力された画像データを所定の圧縮フォーマットに従って圧縮する。
【００９２】
圧縮された画像データは、ＲＡＭ１１６に格納され、所定フォーマットの静止画像ファイル（たとえば、Ｅｘｉｆ）として、メディアコントローラ１４４を介してメモリカードＭに記録される。
【００９３】
以上のようにしてメモリカードＭに記録された画像データは、デジタルカメラ１０のモードを再生モードに設定することにより、モニタ２８に再生表示される。
【００９４】
再生モードへの移行は、再生ボタン３６を押下することにより行われる。
【００９５】
再生ボタン３６が押下されると、ＣＰＵ１１０は、メディアコントローラ１４４を介してメモリカードＭに最後に記録された画像ファイルの圧縮画像データを読み出す。読み出された圧縮画像データは、圧縮伸張処理部１４０に加えられ、非圧縮の画像データとされたのちＶＲＡＭ１２０に加えられる。そして、ＶＲＡＭ１２０からエンコーダ１４８を介してモニタ２８に出力される。これにより、メモリカードＭに記録されている画像がモニタ２８に再生表示される。
【００９６】
画像のコマ送りは、十字ボタン３２の左右のキー操作で行なわれ、右キーが操作されると、次の画像ファイルがメモリカードＭから読み出され、モニタ２８に再生表示される。また、十字ボタン３２の左キーが操作されると、一つ前の画像ファイルがメモリカードＭから読み出され、モニタ２８に再生表示される。
【００９７】
次に、ストロボ１８を用いた特殊撮影の方法について説明する。
【００９８】
本実施の形態のデジタルカメラ１０では、ストロボ１８を用いて特殊な形状のキャッチライトを被写体の瞳に写し込む撮影を行うことができる。
【００９９】
通常のストロボ撮影において、マスク５２は「原点位置」に位置しており、図５（ａ）に示すように、光源としてのＬＥＤ５０の前方は開放されている。この状態でストロボ撮影を行うと、被写体の瞳には、光源の形状として、矩形状のキャッチライトが写り込む。
【０１００】
一方、マスク５２を「星位置」に移動させると、図５（ｂ）に示すように、星型の開口部５２Ｂが光源としてのＬＥＤ５０の前段に位置する。この状態でストロボ撮影を行うと、被写体の瞳には、光源の形状として、図６（ａ）に示すように、星型のキャッチライトが写り込む。
【０１０１】
また、マスク５２を「丸位置」に移動させると、図５（ｃ）に示すように、四つの円形の開口部５２Ｃが光源としてのＬＥＤ５０の前段に位置する。この状態でストロボ撮影を行うと、被写体の瞳には、光源の形状として、図６（ｂ）に示すように、四つの円形状のキャッチライトが写り込む。
【０１０２】
ここで、マスク５２の移動は、ストロボモードの切り替えに連動して行われ、ストロボモードを「キャッチライト（星）」に設定すると、マスク５２が「星位置」に移動し、「キャッチライト（丸）」に設定すると、マスク５２が「丸位置」に移動する。
【０１０３】
ストロボモードの切り換え指示は、たとえば、撮影モード中に十字ボタン３２の右キーを押すことにより行われ、右キーを押すごとにストロボモードが、「強制発光」、「オート」、「赤目軽減」、「キャッチライト（星）」、「キャッチライト（丸）」、「発光禁止」に切り替えられる。
【０１０４】
そして、ストロボモードを「キャッチライト（星）」に設定すると、マスク５２が「星位置」に移動して、ストロボ１８が強制発光し、「キャッチライト（丸）」に設定すると、マスク５２が「丸位置」に移動して、ストロボ１８が強制発光する。
【０１０５】
以上説明したように、本実施の形態のデジタルカメラ１０によれば、光源から出射する光の形を変えることができるので、キャッチライト撮影を行う際、瞳に写し込む光の形状を簡単に切り替えることができる。
【０１０６】
また、ストロボ１８と兼用しているので、デジタルカメラ自体を大型化させることもなく、コンパクトな構成で簡単に特殊効果の得られる撮影を行うことができる。
【０１０７】
なお、本実施の形態では、ストロボ１８と兼用しているが、別途、キャッチライト用の照明手段をカメラボディ１２に設置してもよい。たとえば、図７に示すように、ストロボ６０に加えて、キャッチライト用の照明装置６２を別途設置してもよい。この場合、ストロボ６０はキセノン管を光源に用いて構成してもよい。また、照明装置６２は、上記実施の形態のストロボ１８と同様にＬＥＤを光源とし、その光源の前段に設けたマスク６４をスライドさせて、光源の形を切り替えられるように構成する。
【０１０８】
また、本実施の形態では、マスク５２に形成する開口部として、光源としてのＬＥＤの全面を開放する矩形状の開口部５２Ａと、星型の開口部５２Ｂと、四つの円形状の開口部５２Ｃを用意しているが、開口部の形状は、これに限定されるものではない。この他、三角形や五角形、六角形などの種々の形状を形成することができる。
【０１０９】
なお、図８に示すように、矩形の枠状の開口部５２Ｄを形成することにより、撮影者自身を撮影（いわゆる自分撮り）する際の画角確認用の照明光を発光させることもできる。すなわち、図９に示すように、所定距離離れた被写体に対して、撮影範囲とほぼ一致する範囲の枠状の光７０を出射するようにマスク５２に開口部５２Ｄを形成する。これにより、ストロボ１８から照射される光を基に撮影範囲を把握でき、自分撮りを簡単に行うことができる。
【０１１０】
上記実施の形態では、マスク５２をマスク駆動モータ５６で駆動して移動させるようにしているが、撮影者が手動で移動させるようにしてもよい。この場合、カメラボディ１２にスライド式のレバーを取り付け、このレバーのスライド操作でマスク５２を移動させるように構成する。
【０１１１】
また、上記実施の形態では、板状のマスク５２をスライドさせて、開口部５２Ａ〜５２Ｃの位置を切り替えているが、図１０に示すように、筒状のマスク８０で光源（たとえばＬＥＤ）８２の周囲を囲い、マスク８２を回転させて、開口部８０Ａ、８０Ｂの位置を切り替えるようにしてもよい。
【０１１２】
図１１は、本発明が適用されたデジタルカメラの第２の実施の形態の正面図である。
【０１１３】
本実施の形態のデジタルカメラ２００では、ストロボ１８に加えてキャッチライト用の照明装置２１０を備えており、この照明装置２１０から照射される光の形状を切り替えることにより、被写体の瞳に写し込むキャッチライトの形状を切り替える。
【０１１４】
なお、照明装置２１０を備えている点、及び、ストロボ１８に切り替え式のマスクが備えられていない点以外は、上述した第１の実施の形態のデジタルカメラ１０と同じ構成なので、ここでは照明装置２１０の構成についてのみ説明する。
【０１１５】
この照明装置２１０は、カメラボディ１２の正面所定領域に点光源としてのＬＥＤ２１２を縦横一定の間隔で多数二次元配列することにより正方形の照明パネルとして構成されている。
【０１１６】
各ＬＥＤ２１２は、ＯＮ（点灯）／ＯＦＦ（消灯）がＣＰＵ１１０によって個別に制御されており、このＬＥＤ２１２のＯＮ／ＯＦＦを個別に制御することにより、光源としての全体の形状を切り替える。
【０１１７】
以上のように構成された第２の実施の形態のデジタルカメラ２００の作用は次のとおりである。
【０１１８】
照明装置２１０の発光パターンは、あらかじめ設定されており、発光モードの切り替えの指示に応じて切り替えられる。この発光モードの切り替え指示は、たとえば、撮影モード時に十字ボタン３２の上キーを押下することにより行われ、十字ボタン３２の上キーを押下するたびに発光モードが、「丸」、「星」、「四角」、「発光禁止」に切り替えられる。そして、発光モードが「丸」に設定されると、図１２（ａ）に示すように、照明装置２１０の発光パターンがリング状に設定され、「星」に設定されると、図１２（ｂ）に示すように、照明装置２１０の発光パターンが星状に設定される。また、「四角」に設定されると、図１２（ｃ）に示すように、照明装置２１０の発光パターンが四角（全てのＬＥＤ２１２が発光）に設定され、「発光禁止」に設定されると、発光が停止される。
【０１１９】
発光モードを「丸」に設定し、図１２（ａ）に示すように、照明装置２１０の発光パターンをリング状に設定すると、リング状の光が照明装置２１０から発光する。この状態で被写体を撮影すると、図１３（ａ）に示すように、リング状の光がキャッチライトとして被写体の瞳に写し込まれる。
【０１２０】
また、発光モードを「星」に設定し、図１２（ｂ）に示すように、照明装置２１０の発光パターンを星型に設定すると、星型の光が照明装置２１０から発光する。この状態で被写体を撮影すると、図１３（ｂ）に示すように、星型の光がキャッチライトとして被写体の瞳に写し込まれる。
【０１２１】
また、発光モードを「四角」に設定し、図１２（ｃ）に示すように、照明装置２１０の発光パターンを四角に設定すると、四角形の光が照明装置２１０から発光する。この状態で被写体を撮影すると、図１３（ｃ）に示すように、四角形の光がキャッチライトとして被写体の瞳に写し込まれる。
【０１２２】
このように、本実施の形態のデジタルカメラ２００によれば、上記第１の実施の形態のデジタルカメラ１０と同様に照明装置２１０から出射する光の形を変えることができるので、キャッチライト撮影を行う際、瞳に写し込む光の形状を簡単に切り替えることができる。
【０１２３】
なお、本実施の形態のデジタルカメラ２００では、ストロボ１８と別体で照明装置２１０をカメラボディ１２に組み込んできるが、照明装置２１０をストロボとして利用することもできる。この場合、ストロボ１８を省くことができ、カメラボディのコンパクト化を図ることができる。
【０１２４】
また、本実施の形態では、点光源としてのＬＥＤ２１２を縦横一定の間隔で二次元配列し、全体として正方形状の光源を構成するようにしているが、ＬＥＤ２１２の配列は、これに限定されるものではなく、長方形状や円形状に配列させてもよい。
【０１２５】
また、ＬＥＤ２１２を配置する位置も特に限定されるものではなく、図１４に示すように、撮影レンズ１４の周囲を囲うように配列してもよい。
【０１２６】
また、上記第１の実施の形態と同様に、所定距離離れた被写体に対して撮影範囲に合致した枠状の光を照明装置２１０から発光させて、撮影範囲を確認できるようにしてもよい。
【０１２７】
また、上記第１及び第２の実施の形態のデジタルカメラでは、キャッチライト用の光源としてＬＥＤを用いているが、光源はＬＥＤに限定されるものではなく、他の照明手段を用いてもよい。
【０１２８】
また、光源の色は、白色に限定されるものではなく、他の色を用いてもよい。この場合、光源としてＲ、Ｇ、Ｂ三色のＬＥＤを用いて、各ＬＥＤの発光量を変えることにより、種々の色を切り替えて発光できるようにしてもよい。また、光源をカラーフィルタで覆うことにより、光源から発光する光の色を切り替えるようにしてもよい。また、単色の光を発光させるのではなく、複数の色の光を発光させるようにしてもよい。
【０１２９】
なお、上記第１及び第２の実施の形態のデジタルカメラでは、所定形状のキャッチライトを瞳に写し込むことができることから、撮影された画像からキャッチライトの領域を容易に抽出することができる。このため、画像処理によってキャッチライトの形状を他の形状に容易に変形することができる。以下、この画像処理の手順について説明する。
【０１３０】
たとえば、ストロボ１８又は照明装置２１０から星型の光を発光させて、被写体を撮影したとする（撮影により得られた画像は、一時的にＲＡＭ１１６に格納）。この場合、図１５（ａ）に示すように、撮影された被写体の瞳には、星型のキャッチライトが写し込まれる。
【０１３１】
画像抽出部１４２は、ストロボ１８又は照明装置２１０の発光パターンに合致した光源の領域を撮影により得られた画像から抽出する。本例の場合、星型の光を発光させているので、画像抽出部１４２は、星型の光源（キャッチライト）の領域を撮影により得られた画像から抽出する。なお、画像抽出の技法については公知の技術を用いるものとする。たとえば、撮影により得られた画像から顔領域を抽出し、抽出した顔領域から瞳の領域を抽出し、さらに瞳の領域から星型のキャッチライトの領域を抽出する。
【０１３２】
抽出した星型のキャッチライトの領域情報は、ＣＰＵ１１０に出力される。ＣＰＵ１１０は、取得した情報に基づいて画像信号処理部１３８に画像の加工指令を出力する。そして、画像信号処理部１３８は、このＣＰＵ１１０からの指令に従ってＲＡＭ１１６に格納されている画像を処理し、図１５（ｂ）に示すように、キャッチライトの形状を変形させる（同図では丸形に変形）。
【０１３３】
ここで、変形させるキャッチライトの形状は、あらかじめ用意された形状（星、丸、渦巻き、四角、三角等）の中からユーザが選択して設定するものとし、画像信号処理部１３８は、設定された形状にキャッチライトの形状を加工する。
【０１３４】
このように、本実施の形態のデジタルカメラでは、所定の形状のキャッチライトを被写体の瞳に写し込むことができることから、撮影された画像の中からキャッチライトの領域を容易に抽出することができる。そして、この抽出した領域の情報を利用することにより、画像処理によって、容易にキャッチライトの形状を変形することができる。
【０１３５】
なお、上記実施の形態では、本発明をいわゆるコンパクトタイプのデジタルカメラに適用した場合を例に説明したが、本発明の適用は、これに限定されるものではなく、撮影機能を備えた全ての機器、たとえば、カメラ付き携帯電話機やビデオカメラ等にも適用することができる。また、いわゆる銀塩カメラにも適用することができる。
【０１３６】
また、上記実施の形態では、キャッチライト用の照明装置をカメラボディに組み込んだ場合を例に説明したが、単体で構成してもよい。たとえば、図１６に示すように、点光源としてのＬＥＤ３０２を多数二次元配列したものを照明装置３００として構成し、これをカメラボディ１２に着脱自在に取り付けるようにしてもよい。この場合、上記第２の実施の形態のデジタルカメラと同様にＬＥＤ３０２のＯＮ／ＯＦＦを個別に制御することにより、照明装置３００から発光させる光の形を切り替える。この他、上記第１の実施の形態と同様に所定形状の開口部を有するマスクで光源としてのＬＥＤ３０２を覆って光源の形状を切り替えるようにしてもよい。また、キャッチライト用の光源として利用する以外に外付けのストロボとして利用するようにしてもよい。
【図面の簡単な説明】
【０１３７】
【図１】第１の実施の形態のデジタルカメラの正面斜視図
【図２】第１の実施の形態のデジタルカメラの背面斜視図
【図３】第１の実施の形態のデジタルカメラのストロボ設置部の構成を示す正面部分断面図
【図４】第１の実施の形態のデジタルカメラの電気的構成を示すブロック図
【図５】第１の実施の形態のデジタルカメラのストロボ発光パターンの説明図
【図６】第１の実施の形態のデジタルカメラにおける撮影画像の説明図
【図７】デジタルカメラの他の実施の形態の正面図
【図８】デジタルカメラの他の実施の形態の正面図
【図９】デジタルカメラの他の実施の形態の作用の説明図
【図１０】照明装置の他の実施の形態の斜視図
【図１１】第２の実施の形態のデジタルカメラの正面図
【図１２】第１の実施の形態のデジタルカメラの照明装置の発光パターンの説明図
【図１３】第２の実施の形態のデジタルカメラにおける撮影画像の説明図
【図１４】デジタルカメラの他の実施の形態の正面図
【図１５】画像加工の説明図
【図１６】照明装置の他の実施の形態の正面図
【符号の説明】
【０１３８】
１０…デジタルカメラ、１２…カメラボディ、１４…撮影レンズ、１６…ファインダ窓、２０…シャッタボタン、２２…モードスイッチ、２４…電源ボタン、２６…ファインダ接眼部、２８…モニタ、３０…ズームボタン、３２…十字ボタン、３４…ＭＥＮＵ／ＯＫボタン、３６…再生ボタン、３８…ファンクションボタン、４０…ＢＡＣＫボタン、５０…ＬＥＤ、５２…マスク、５２Ａ〜５２Ｄ…開口部、５６…マスク駆動モータ、５７…駆動ギア、５８…ラック、８０…マスク、８０Ａ〜８０Ｂ…開口部、８２…ＬＥＤ、１１０…ＣＰＵ０、１１２…操作部、１１４…ＲＯＭ、１１６…ＲＡＭ、１１８…ＥＥＰＲＯＭ、１２０…ＶＲＡＭ、１２２…時計／カレンダ部、１２４…撮影光学系、１２６…撮影光学系駆動部、１２８…撮像素子、１３０…タイミングジェネレータ、１３２…アナログ信号処理部、１３４…Ａ／Ｄコンバータ、１３６…画像入力コントローラ、１３８…画像信号処理部、１４０…圧縮伸張処理部、１４２…画像抽出部、１４４…メディアコントローラ、Ｍ…メモリカード、１４６…電源制御部、Ｂ…バッテリ、１８…ストロボ、１４８…エンコーダ、１５０…ＯＳＤ部、１５２…ＡＥ／ＡＷＢ検出部、１５４…ＡＦ検出部、１５６…ストロボ制御部、１５８…モータドライバ、２００…デジタルカメラ、２１０…照明装置、２１２…ＬＥＤ、３００…照明装置、３０２…ＬＥＤ
【図１】
2007183512.tif 000003
【図２】
2007183512.tif 000004
【図３】
2007183512.tif 000005
【図４】
2007183512.tif 000006
【図５】
2007183512.tif 000007
【図６】
2007183512.tif 000008
【図７】
2007183512.tif 000009
【図８】
2007183512.tif 000010
【図９】
2007183512.tif 000011
【図１０】
2007183512.tif 000012
【図１１】
2007183512.tif 000013
【図１２】
2007183512.tif 000014
【図１３】
2007183512.tif 000015
【図１４】
2007183512.tif 000016
【図１５】
2007183512.tif 000017
【図１６】
2007183512.tif 000018